(57)【要約】【課題】  人ごみ中でも簡易にＴＶを視聴できるＴＶ受信機能を有する携帯電話機を得る。【解決手段】  電話機能部３とテレビ受信機能部７とが構成され、携帯電話信号とＴＶ信号の受信が行われる。さらにテレビ音声を文字として画面表示へ切り替える音声データ切替部１４と、動作モードを制御するＭＣＰＵ６と、ＴＶマナーモード（１２）を設け、ＴＶマナーモード選択時には、テレビ受信機能の動作時にテレビ音声を消音し、テレビ音声を表示部２０へ文字化して画面表示を可能としている。音声出力の有無、音声を文字化した文字表示の有無を含む、複数種類の動作を駆動するソフトが記録されたメモリ部１５をさらに有し、“通常時／ＴＶマナーモード選択時”の選択に対応する“ＴＶ音声出力有／無  文字表示有／無”を含む、複数種類の動作設定を可能とする。これにより、人ごみ中でもイヤホンを用いず簡易にＴＶの視聴が可能となる。【選択図】  図１
2006054613.tif 000002
【特許請求の範囲】
【請求項１】
携帯電話通信機能が構成された電話機能部と、
テレビ受信機能が構成されたテレビ受信機能部と、
テレビ音声の出力有無を選択可能としたマナーモード選択部と、
前記テレビ音声を表示文字として画面表示へ切り替える音声データ切替部と、
動作モードを制御する制御部（ＭＣＰＵ）と、
前記テレビ受信機能の動作時に前記テレビ音声を消音し且つ前記画面表示での表示文字とし表示する表示部とを有して構成され、
前記テレビ音声を消音し、該テレビ音声を前記表示部へ文字化して画面表示を可能としたことを特徴とする携帯電話機。
【請求項２】
音声出力の有無、該音声を文字化した表示文字の有無を含む、複数種類の動作を駆動するソフトが記録されたメモリ部を、さらに有することを特徴とする請求項１に記載の携帯電話機。
【請求項３】
前記複数種類の動作は、下記の４種類であり、
１．ＴＶマナーモード選択時            ；ＴＶ音声出力無  文字表示有、
２．ＴＶマナーモード選択時            ；ＴＶ音声出力無  文字表示無、
３．通常時（ＴＶマナーモード非選択時）；ＴＶ音声出力有  文字表示有、
４．通常時（ＴＶマナーモード非選択時）；ＴＶ音声出力有  文字表示無、
前記４種類の動作を前記ＭＣＰＵが選択的に制御可能に構成されたことを特徴とする請求項２に記載の携帯電話機。
【請求項４】
携帯電話通信を行う通信機能部を駆動する電話機能駆動ステップと、
テレビ信号を受信するテレビ受信機能部を駆動するテレビ受信機能駆動ステップと、
テレビ音声の出力有無を選択可能としたマナーモード選択ステップと、
前記テレビ音声を表示文字として画面表示へ切り替える音声データ切替ステップと、
複数種類の動作モードを制御する動作モード選択ステップと、
前記テレビ受信機能の動作時に前記テレビ音声を消音し且つ前記画面表示での表示文字とし表示する表示ステップとを有して構成され、
前記テレビ音声を消音し、該テレビ音声を前記文字化して前記画面表示を可能としたことを特徴とする携帯電話機におけるＴＶ駆動方法。
【請求項５】
音声出力の有無、該音声を文字化した文字表示の有無を含む複数種類の動作を駆動するソフトが記録され、該ソフトを用いて前記テレビ音声を文字化して前記画面表示を可能としたことを特徴とする請求項４に記載の携帯電話機におけるＴＶ駆動方法。
【請求項６】
前記複数種類の動作は下記の４種類である、
１．ＴＶマナーモード選択時            ；ＴＶ音声出力無  文字表示有、
２．ＴＶマナーモード選択時            ；ＴＶ音声出力無  文字表示無、
３．通常時（ＴＶマナーモード非選択時）；ＴＶ音声出力有  文字表示有、
４．通常時（ＴＶマナーモード非選択時）；ＴＶ音声出力有  文字表示無、
ことを特徴とする請求項５に記載の携帯電話機におけるＴＶ駆動方法。
【発明の詳細な説明】
【技術分野】
【０００１】
本発明はＴＶ機能を有する携帯電話機および携帯電話機におけるＴＶ駆動方法に係り、より詳細には該関連機能の内の、特にＴＶマナーモード時の動作内容に係るものである。
【背景技術】
【０００２】
現在、日本では携帯電話機の所有者が増えた為、各携帯電話機メーカは電話機としての機能のみでなく複数の機能を持たせた携帯電話機を市場に投入し、利便性の向上を図っている。例えば、メガピクセルのデジタルカメラ機能搭載、様々なデータを保存しておくＳＤメモリ搭載、ＧＰＳ（Global Positioning System）搭載、ＢＬＵＥＴＯＯＴＨ（短距離無線通信の仕様モード名）搭載、ＦＭラジオ受信機能搭載、ＴＶ受信機能搭載等の携帯電話機がある。
従来の携帯電話機の中でＴＶ受信機能を有する携帯電話機については、現在地上波アナログＴＶ放送を受信可能な携帯電話機が、市場に投入され始めている。また、地上波デジタルＴＶ放送を受信可能な携帯電話機が、投入され始めようとしている。
【０００３】
具体的な従来例として、伝言メッセージを表示部に表示させる（参照；特許文献１）、通信網内あるいは端末に、音声情報をテキスト情報に変換する機能を備えた（参照；特許文献２）、ディスプレイ上に可視表示された文字を個人別に識別できるようにして、視覚障害者でもテレビジョン放送、ビデオ再生を鑑賞できるようにした（参照；特許文献３）、各種の機能を備えた携帯電話機等がある。
このことにより、ＴＶ音声情報を視覚として得ることを可能とする。また、難聴者であっても視覚により、ＴＶ音声情報を得ることが可能となる。更に、ＴＶ音声切替部を設け、ＴＶを視聴しながら簡単にＴＶ音声の出力切替選択を可能とする等の技術も存在する。
【特許文献１】特開２００３−２７４００４号公報
【特許文献２】特開平９−２８４４１３号公報
【特許文献３】特開平９−３２２０９２号公報
【発明の開示】
【発明が解決しようとする課題】
【０００４】
しかし、従来のＴＶ受信機能を有する携帯電話機では、人ごみ中でＴＶを視聴する場合には、ＴＶ音声出力を小さく、もしくは消音しなければならない。あるいは、イヤホンをしながら視聴しなければならない。この為、面倒な点が多い。
本発明はテレビ音声を消音する、ＴＶ機能を有する携帯電話機およびＴＶ駆動方法を提供することを目的とする。
【課題を解決するための手段】
【０００５】
請求項１に記載の発明の携帯電話機では、電話機能部とテレビ受信機能部とが構成され、さらに、テレビ音声の出力有無を選択可能としたマナーモード選択部と、テレビ音声を文字として画面表示へ切り替える音声データ切替部と、動作モードを制御するＭＣＰＵと、テレビ受信機能の動作時にテレビ音声を消音し且つ画面表示での文字表示とし表示する表示部とを有している。これにより、テレビ音声を消音し、このテレビ音声を表示部へ文字化して画面表示を可能としている。
【０００６】
請求項２に記載の発明では、音声出力の有無、音声を文字化した文字表示の有無を含む、複数種類の動作を駆動するソフトが記録されたメモリ部をさらに有している。
【０００７】
請求項３に記載の発明では、上記複数種類の動作は、下記の４種類であり、
１．ＴＶマナーモード選択時            ；ＴＶ音声出力無  文字表示有、
２．ＴＶマナーモード選択時            ；ＴＶ音声出力無  文字表示無、
３．通常時（ＴＶマナーモード非選択時）；ＴＶ音声出力有  文字表示有、
４．通常時（ＴＶマナーモード非選択時）；ＴＶ音声出力有  文字表示無、
ＭＣＰＵが動作を選択的に制御可能に構成されたことを特徴とする。
【０００８】
請求項４に記載の発明の携帯電話機におけるＴＶ駆動方法では、携帯電話機能部を駆動する電話機能駆動ステップと、テレビ受信機能部を駆動するテレビ受信機能駆動ステップと、テレビ音声の出力有無を選択可能としたマナーモード選択ステップと、テレビ音声を文字として画面表示へ切り替える音声データ切替ステップと、動作モードを制御する動作モード選択ステップとを有し、さらに、テレビ受信機能の動作時にテレビ音声を消音し且つ画面表示での文字表示とし表示する表示ステップとを有する。これにより、テレビ音声を消音し、このテレビ音声を前記文字化して画面表示を可能としたことを特徴とする。
【０００９】
請求項５に記載の発明では、音声出力の有無、音声を文字化した文字表示の有無を含む複数種類の動作を駆動するソフトが記録され、このソフトを用いてテレビ音声を文字化して画面表示を可能としたことを特徴としている。
【００１０】
請求項６に記載の発明では、上記複数種類の動作は下記の４種類である。
１．ＴＶマナーモード選択時            ；ＴＶ音声出力無  文字表示有、
２．ＴＶマナーモード選択時            ；ＴＶ音声出力無  文字表示無、
３．通常時（ＴＶマナーモード非選択時）；ＴＶ音声出力有  文字表示有、
４．通常時（ＴＶマナーモード非選択時）；ＴＶ音声出力有  文字表示無、
【発明の効果】
【００１１】
請求項１に記載の発明の携帯電話機では、テレビ音声の出力有無を選択可能とし、テレビ音声を文字として画面表示へ切り替え、テレビ受信機能の動作時にテレビ音声を消音し且つ画面表示部での文字表示とした表示を可能としている。これにより、テレビ音声を消音しての、テレビ鑑賞が可能となる。
【００１２】
請求項２に記載の発明では、音声出力の有無、音声を文字化した文字表示の有無を含む、複数種類の動作を駆動するソフトが記録されたメモリ部をさらに有している。よって、複数種類の動作の中からの選択が可能となる。
【００１３】
請求項３に記載の発明では、上記複数種類の動作を、ＴＶマナーモード選択時と通常時（ＴＶマナーモード非選択時）の、ＴＶ音声出力有無  文字表示有無、の４種類とした、ＭＣＰＵの動作を選択することが可能となる。
【００１４】
請求項４に記載の発明の携帯電話機におけるＴＶ駆動方法では、テレビ受信機能の動作時にテレビ音声を消音し且つ画面表示での文字表示とし表示する、テレビ音声消音と、このテレビ音声を文字化して画面表示が可能となる。
【００１５】
請求項５に記載の発明では、音声出力の有無、音声を文字化した文字表示の有無を含む複数種類の動作を駆動するソフトを用いて、テレビ音声を文字化しての画面表示が可能となる。
【００１６】
請求項６に記載の発明では、上記複数種類の動作を、ＴＶマナーモード選択時と通常時（ＴＶマナーモード非選択時）のＴＶ音声出力有／無と文字表示有／無の、４種類が可能となる。
【発明を実施するための最良の形態】
【００１７】
図１は、本発明の第１の実施例を示すＴＶ機能を有する携帯電話機のブロック構成図であり、地上波デジタル放送受信用ＴＶチューナを搭載した、ＴＶ機能を有する携帯電話機のブロック構成例を示している。
本図１において、本実施例のＴＶ機能を有する携帯電話機は、ＡＮＴ（アンテナ）１、ＴＶＡＮＴ（ＴＶアンテナ）２、携帯電話送受信ブロック３、ＭＣＰＵ６、ＴＶチューナ部７、データ解凍部１０、音声データ切替部１４、メモリ部１５、ドライバ部１７、スピーカ１８、音声認識部１９、表示部２０、電源２１、ユーザＩＦ部２２、キー操作部２３、の各部を有して構成される。
上記構成のＴＶ機能を有する携帯電話機は、携帯電話機用のアンテナであるＡＮＴ１で、携帯電話信号の送受信が行われる。また、テレビジョン用のアンテナであるＴＶＡＮＴ２で、ＴＶ信号の受信が行われる。なお、これらの二種類のアンテナは、１本で携帯電話信号とＴＶ信号の両信号を取り扱い、分配器により携帯電話信号とＴＶ信号を分配する構成としても構わない。
【００１８】
上記構成になる本願発明は、従来技術の問題点を解決する為に、ＴＶマナーモードを設け、ＴＶマナーモード選択時には、ＴＶ音声を表示部に文字表示する。本機能の内容を、以下に詳述する。
まず、ＴＶ機能を有する携帯電話機側の機能及び構成内容を説明する。
ＴＶ機能を有する携帯電話機は、無線部４、ベースバンド部５、を擁して構成される。受信時に無線部４は、携帯電話機の高周波無線信号を周波数変換したアナログ信号をベースバンド部５に送り、ベースバンド部５は、デジタル信号としてＭＣＰＵ６に送る。また、送信時には逆に、ベースバンド部５は、送りたい信号をＭＣＰＵ６から受け、無線部４にて高周波無線信号に周波数変換してＡＮＴ１から送信する。
【００１９】
携帯電話送受信ブロック３は、無線部４とベースバンド部５から構成される。受信時に無線部４は、携帯電話機の高周波無線信号を周波数変換したアナログ信号をベースバンド部５に送り、ベースバンド部５は、デジタル信号としてＭＣＰＵ６に送る。また、送信時には逆にベースバンド部５は、送りたい信号をＭＣＰＵ６から受け、無線部４にて高周波無線信号に周波数変換し、ＡＮＴ１から送信する。
【００２０】
ＭＣＰＵ６は、ドライバ部１７を介し、スピーカ１８にて着信時の報知を通話時にはユーザに音声を伝える。表示部２０は、ＭＣＰＵ６の制御により、メール受信時のメール内容表示等、携帯電話機の表示機能に加え、ＴＶ視聴時にはＴＶ画像表示を行う。
電源２１は、バッテリーパック等の携帯型電源である。また、ＭＣＰＵ６は、ユーザのキー操作により、ユーザＩＦ部２２を介したキー操作部２３からの操作があった場合に、状態によって携帯電話機としての動作及びＴＶとしての動作を行う。
【００２１】
次に、ＴＶ側の機能及び構成内容を説明をする。
ＡＮＴ２により受信されたＴＶ信号は、ＴＶチューナ部７に送られる。このＴＶチューナ部７は、ＴＶ無線部８とデコーダ部９とで構成される。なお、ＡＮＴ２により受信された信号は、ＴＶ無線部８にて周波数変換された後にデコーダ部９に入力され、該デコーダ部９によりデジタルデータに変換される。
デコーダ部９から出力された映像信号は、デジタルデータとしてＭＣＰＵ６に送出される。なお、音声信号は、圧縮されている為、データ解凍部１０にて音声デジタルデータに解凍される。
ＭＣＰＵ６は、マナーモード判定部１２によりメモリ部１５に記憶されたマナーモードの選択／非選択、及び、ＴＶ音声判定部１３によりＴＶ音声出力手段を読み出し、音声デジタル切替部１４からの信号のパスルートを決定する。
【００２２】
メモリ部１５には、ユーザＩＦ部２２を介したユーザのキー操作部２３により、予め入力されているマナーモードの選択／非選択、及び、ＴＶ音声の出力方法が記憶されている。さらに詳述すると、一例として、メモリ部１５には、例えば下記のように組み合わせた機能を選択的に実行するためのソフトが、記憶されている。
１．ＴＶマナーモード選択時；  ＴＶ音声出力無  文字表示有
２．ＴＶマナーモード選択時；  ＴＶ音声出力無  文字表示無
３．通常時（非選択時）；      ＴＶ音声出力有  文字表示有
４．通常時（非選択時）；      ＴＶ音声出力有  文字表示無
【００２３】
音声データ切替部１４の動作は、以下の様になる。
メモリ部１５から読み出した内容が上記１であった場合には、音声データ切替部１４内のＳＷ１が端子Ａ−Ｃ間をＯＮし、ＳＷ２が端子Ｃ−Ｄ間をＯＮする。
また、上記２であった場合には、ＳＷ１が端子Ａ−Ｃ間をＯＮし、ＳＷ２が端子Ｂ−Ｄ間をＯＮする。なお、音声パスはオープンとなる為、ＴＶ音声出力無し状態となる。
上記３であった場合には、ＳＷ１が端子Ａ−Ｂ間をＯＮし、ＳＷ２が端子Ｂ−Ｄ間をＯＮする。
上記４であった場合には、ＳＷ１が端子Ａ−Ｂ間をＯＮし、ＳＷ２が端子Ｃ−Ｄ間をＯＮとする。
【００２４】
従って、メモリ部１５から読み出した内容が上記１であった場合には、音声データ切替部１４から音声デジタルデータは音声認識部１９に出力され、音声認識部１９で文字データに変換され、ＭＣＰＵ６は文字データを表示部２０に表示する。この時、ＴＶチューナ部７からの映像デジタルデータは、ＭＣＰＵ６により画像として表示部２０に文字データと一緒に表示される。
【００２５】
メモリ部１５から読み出した内容が上記２の場合には、音声デジタルデータは出力されない。この為、ＭＣＰＵ６は、スピーカ１８からの音声を出力せず（ミュート状態）、映像のみ表示部２０に表示する。なお、メモリ部１５から読み出した内容が上記３の場合には、音声データ切替部１４から出力された音声デジタルデータを文字データに変換させ、ＭＣＰＵ６により出力させる。
【００２６】
ＭＣＰＵ６は、音声データＤＡ変換部１６によりデジタル音声データをアナロデータに変換し、スピーカ１８からＴＶ音声を出力し、また、文字データを映像データと伴に表示部２０にて表示する。
メモリ部１５から読み出した内容が上記４の場合には、音声データＤＡ変換部１６によりデジタル音声データをアナロデータに変換し、スピーカ１８から音声を出力し、表示部２０にて映像を表示する。
【００２７】
（実施例の動作の説明）
図１のブロック図及び、図２〜図４の本発明による実施例の動作を表すフローチャートを使用し、本発明の動作の説明を、以下に行う。
図２は、本発明の実施例によるＴＶマナーモード設定入力時の、動作例を表すフローチャートである。
図２において、開始（ステップ２００）から、待ち受け状態（ステップ２０１）に入る。ステップ２０１において、ユーザによりキー操作部２３からのＴＶマナーモード設定入力があった場合（ステップ２０２）、ＭＣＰＵ６は表示部２０を介しＴＶ視聴時の音声出力有無をユーザに確認する（ステップ２０３）。
本発明での待ち受け状態とは、モード設定入力の待ち受けを行っている事とし、マナーモードと非マナーモード間の切り替えが出来ることとする。
【００２８】
ステップ２０２でＴＶマナーモード設定の入力が無い場合は、ステップ２０１に戻る。ステップ２０３において、ユーザにより、“ＴＶ視聴時音声を文字表示とする”選択があった場合（ステップ２０３／ＹＥＳ）、ＭＣＰＵ６はメモリ部１５に“ＴＶマナーモード選択・ＴＶ音声文字表示”を記憶させ（ステップ２０４の「ＴＶ音声文字表示有」の動作状態）、ＴＶマナーモード設定入力を終了し（ステップ２０５）、待ち受け状態（ステップ２０１）に戻る。
ステップ２０３において、ユーザにより“ＴＶ視聴時に文字表示無”と選択された場合には（ステップ２０３／ＮＯ）、ＭＣＰＵ６はメモリ部１５に“マナーモード選択・ＴＶ音声出力無”を記憶させ（ステップ２０６）、ＴＶマナーモード入力設定を終了し（ステップ２０５）、待ち受け状態のステップ２０１に戻る。
【００２９】
図３は、本発明の実施例によるＴＶ視聴時音声出力決定時の動作を表すフローチャートである。
開始（ステップ３００）から、待ち受け状態（ステップ３０１）に入る。ステップ３０１において、ユーザによりキー操作部２３からの“ＴＶ音声出力方法の選択”があった場合（ステップ３０２）、ＭＣＰＵ６は表示部２０を介しＴＶ視聴時の音声出力文字表示の有無をユーザに確認する（ステップ３０３）。ステップ３０２において、“ＴＶ音声出力方法の選択”の要求が無い場合には、ステップ３０１に戻る。
ステップ３０３において、ユーザにより、“ＴＶ視聴時の音声出力有”との選択があった場合には、ＭＣＰＵ６はメモリ部１５に“ＴＶマナーモード非選択・ＴＶ音声出力有”を記憶させ、入力を終了し（ステップ３０５）、待ち受け状態のステップ３０１に戻る。
【００３０】
ステップ３０３において、ユーザにより“ＴＶ視聴時音声文字表示有”の入力があった場合には（ステップ３０４）、ＭＣＰＵ６はメモリ部１５に“ＴＶマナーモード非選択・ＴＶ視聴時音声文字表示＋ＴＶ音声出力有”を記憶させ、入力を終了し（ステップ３０５）、待ち受け状態ステップ３０１に戻る。ステップ３０３において、ユーザにより“ＴＶ視聴時音声文字表示無”の入力があった場合には、ＭＣＰＵ６は、メモリ部１５に“ＴＶマナーモード非選択・ＴＶ視聴時音声出力有”を記憶させ（ステップ３０６）、入力を終了し（ステップ３０５）、待ち受け状態のステップ３０１に戻る。
【００３１】
図４は、本発明の実施例によるＴＶ起動時の動作を表すフローチャートである。
開始（ステップ４００）から、待ち受け状態（ステップ４０１）に入る。ステップ４００において、ユーザによるキー操作部２３からのＴＶ起動操作があった場合（ステップ４０２）、ＭＣＰＵ６はマナーモード判定部１２を使用し、メモリ部１５内のＴＶマナーモードの選択／非選択を確認する（ステップ４０３）。ステップ４０２において、ＴＶ起動操作が無い場合には、ステップ４０１待ち受け状態に戻る。
【００３２】
ステップ４０３において、ＴＶマナーモード選択と確認された場合（ステップ４０３／ＹＥＳ）には、マナーモード判定部１２は音声切替部１４内のパスルートＳＷ１の端子Ａ−Ｃ間をＯＮさせる。次に、ＭＣＰＵ６は、ＴＶ音声判定部１３を使用し、ＴＶ視聴時の文字表示有無を確認する（ステップ４０４）。ステップ４０４において、ＴＶ音声文字表示有と確認された場合には、ＴＶ音声判定部１３は音声データ切替部１４内のパスルートＳＷ２の端子Ｃ−Ｄ間をＯＮさせ、更に音声認識部１９を動作させる。
【００３３】
次に、音声データ切替部１４から出力された音声デジタルデータを文字データに変換させ、ＭＣＰＵ６に出力させる。ＭＣＰＵ６は、文字データをＴＶチューナ部７内部の、デコーダ部９から出力される映像デジタルデータと伴に表示部２０に表示する（ステップ４０５）。ユーザによるキー操作部２３からのＴＶ終了操作があった場合には、ＭＣＰＵ６はＴＶ動作を終了させ（ステップ４０６）、ステップ４０１の待ち受け状態に戻る。ステップ４０６において、ユーザによるＴＶ終了操作が無い場合には、ステップ４０５に戻る。
【００３４】
ステップ４０４において、ＴＶ音声判定部１３によりＴＶ視聴時文字表示無と確認された場合には、ＴＶ音声判定部１３は、音声データ切替部１４内のパスルートＳＷ２の端子Ｂ−Ｄ間をＯＮさせる。しかし、音声データのパスはオープン状態になる為、ＭＣＰＵ６はスピーカ１８から音声を出力せず（ミュート状態）、映像のみを表示部２０にて表示する（ステップ４０７）。
ユーザによるキー操作部２３からのＴＶ終了操作があった場合には、ＭＣＰＵ６はＴＶ動作を終了させ（ステップ４０８）、ステップ４０１の待ち受け状態に戻る。
ステップ４０８において、ユーザによるＴＶ終了操作が無い場合には、ステップ４０７に戻る。
【００３５】
ステップ４０３において、マナーモード判定部１２によりＴＶマナーモード非選択と確認された場合（ステップ４０３／ＮＯ）、マナーモード判定部１２は音声データ切替部１４内のパスルートＳＷ１の端子Ａ−Ｂ間をＯＮさせる。次に、ＭＣＰＵ６は、ＴＶ音声判定部１３を使用し、ＴＶ視聴時の文字表示有無を確認する（ステップ４０９）。
ステップ４０９において、ＴＶ音声文字表示有と確認された場合、ＴＶ音声判定部１３は、音声データ切替部１４内のパスルートＳＷ２の端子Ｂ−Ｄ間をＯＮさせ、更に音声認識部１９を動作させる。次に、音声データ切替部１４から出力された音声デジタルデータを、文字データに変換させてＭＣＰＵ６に出力させる。
ＭＣＰＵ６は、音声データＤＡ変換部１６によりデジタル音声データをアナロデータに変換し、スピーカ１８からＴＶ音声を出力し、また、文字データを映像データと伴に表示部２０に表示する（ステップ４１０）。
【００３６】
ユーザによるキー操作部２３からのＴＶ終了操作があった場合には、ＭＣＰＵ６はＴＶ動作を終了させ（ステップ４１１）、ステップ４０１待ち受け状態に戻る。ステップ４１１において、ユーザによるＴＶ終了操作が無い場合には、ステップ４１０に戻る。
ステップ４０９において、ＴＶ音声判定部１３によりＴＶ視聴時文字表示無しと確認された場合、ＴＶ音声判定部１３は、音声データ切替部１４内のパスルートＳＷ２の端子Ｃ−Ｄ間をＯＮさせる。
ＭＣＰＵ６は、音声データ変換部ＤＡ変換部１６によりデジタル音声データをアナロデータに変換し、スピーカ１８から音声を出力し、表示部２０に映像を表示する（ステップ４１１）。
ユーザによるキー操作部２３からのＴＶ終了操作があった場合には、ＭＣＰＵ６は、ＴＶ動作を終了させ（ステップ４１２）、ステップ４０１待ち受け状態に戻る。ステップ４１２において、ユーザによるＴＶ終了操作が無い場合には、ステップ４１１に戻る。
【００３７】
（発明の他の実施例）
図５は、他の実施例のブロック図を示す。
図１の実施例は、地上波デジタル放送を受信可能なＴＶチュ−ナを搭載した携帯電話機に対応するものである。しかし、本図５の実施例は、地上波アナログ放送を受信可能なＴＶチュ−ナを搭載した携帯電話機に対応している。
図５では、図１のブロック図と比較して、データ解凍部１０が削除され、ＴＶチューナ部７内のデコーダ部９内部にＡ／Ｄ変換部２４が新たに設けられている。
【００３８】
アナログ放送受信のＴＶチューナでは、ＴＶ無線部８で復調される映像及び音声信号がアナログデータである為、ＭＣＰＵ６に出力される映像データと音声データ変換部１４に出力される音声データをデジタルデータに変換する。このことにより、上記実施例と同様の効果が期待できる。また、デジタル放送とアナログ放送で変調方式が相違する為、ＴＶ無線部８内部の無線ブロック回路及び復調回路は相違する。
ＴＶ無線部から出力されたアナログ音声データは、デコーダ部９内のＡＤ変換部２４でデジタル音声データに変換される。デジタルデータ変換された後のデータ処理は、図１において示した先の発明と同様、デジタル音声データは、音声データ切替部１９により文字データに変換され、ＭＣＰＵ６は、文字データを表示部２０に表示する。
【００３９】
図６は、第３の実施例のブロック図である。
本図６は、地上波デジタル放送を受信可能なＴＶチューナを搭載したＴＶ機能を有する携帯電話機についての、実施例のブロック図である。なお、本第３の実施例では、図１の実施例からマナーモードの設定を簡素化し、ＴＶ視聴時のＴＶ音声出力変更をボタンで行えることを特徴とする。
本図６では、図１のブロック図と比較してＭＣＰＵ６内部のＴＶ音声判定部１３が削除され、音声データ切替部１４のＳＷ２が削除され音声データ切替部２５となる。また、ＴＶ音声出力切替部２６とＩＦ部２７、及び、ＴＶ音声出力判定部２８が追加される。ＴＶ音声出力切替部２６とＩＦ部２７、及び、ＴＶ音声出力判定部２８は、ＴＶ視聴時でも簡単に音声切替を可能とするブロックである。
音声認識部１９と音声データ切替部２５は、マナーモード判定部１２とＴＶ音声出力判定部２８により制御される。
【００４０】
ＭＣＰＵ６内のマナーモード判定部１２の制御により、音声データ切替部２５内の音声デジタルデータパスルートが変更される。ＭＣＰＵ６は、メモリ部１５に記憶されたマナーモード選択／非選択により音声出力の方法を判定する。ＴＶマナーモード非選択の場合には、基本的にＴＶ音声の出力を行う。
【００４１】
次に、動作の内容の説明を行う。ＴＶマナーモード設定入力時の動作例を、図７に示したフローチャートを使用して説明する。
開始（ステップ７００）から、待ち受け状態（ステップ７０１）に入る。ステップ７０１において、ユーザによりＴＶ音声出力切替部２６からのＴＶマナーモード設定入力があった場合（ステップ７０２）、ＭＣＰＵ６は、表示部２０を介しＴＶ視聴時のマナーモード設定選択／非選択をユーザに確認する（ステップ７０３）。ステップ７０２で、ＴＶマナーモード設定入力が無い場合は、ステップ７０１に戻る。
【００４２】
ステップ７０３において、ユーザにより、ＴＶマナーモード選択があった場合(ステップ７０３  ＹＥＳ)、ＭＣＰＵ６は、メモリ部１５にＴＶマナーモード選択・ＴＶ音声文字表示（ＴＶ音声文字表示無）を記憶させ（ステップ７０４）、ＴＶマナーモード設定入力を終了し（ステップ７０５）、待ち受け状態のステップ７０１に戻る。
ステップ７０３において、ユーザによりＴＶマナーモード非選択との入力があった場合には（ステップ７０３／ＮＯ）、ＭＣＰＵ６はメモリ部１５にマナーモード非選択・ＴＶ音声出力有（ＴＶ音声文字表示無）を記憶させ（ステップ７０６）、ＴＶマナーモード設定入力を終了し（ステップ７０５）、待ち受け状態のステップ７０１に戻る。
【００４３】
図８は、ＴＶ起動時の動作例を表すフローチャートであり、図４のフローチャートからステップ４０８、ステップ４１１、ステップ４１２が削除されている。図９は、ＴＶ視聴時の音声出力切替時の動作例を表すフローチャートである。
図６のブロック図と図８のフローチャートを使用し、ＴＶ視聴時の動作例を説明する。ステップ８００からステップ８０３までは、図４のステップ４００からステップ４０３と同一である。
【００４４】
ステップ８０３において、ＴＶマナーモード選択と確認された場合（ステップ８０３／ＹＥＳ）、マナーモード判定部１２は、音声切替部２５内のパスルートＳＷ１の端子Ａ−Ｃ間をＯＮさせ、音声認識部１９を動作させる。次に、音声認識部１９は、音声データ切替部２５から出力された音声デジタルデータを文字データに変換し、ＭＣＰＵ６に出力する。ＭＣＰＵ６は、文字データを映像データと伴に表示部２０に表示する（ステップ８０４）。
この時、音声データ切替部２５のパスルートが変更されている為、ＴＶ音声は出力されない。ユーザによるキー操作部２３からのＴＶ終了操作があった場合には、ＭＣＰＵ６はＴＶ動作を終了させ（ステップ８０５）、ステップ８０１の待ち受け状態に戻る。ステップ８０５において、ユーザによるＴＶ終了操作が無い場合にはステップ８０４に戻る。
【００４５】
ステップ８０３において、マナーモード判定部１２によりＴＶマナーモード非選択と確認された場合（ステップ８０３／ＮＯ）には、マナーモード判定部１２は、音声データ切替部２５内のパスルートＳＷ１の端子Ａ−Ｂ間をＯＮさせる。また、音声認識部１９は使用しない為、動作させない。次にＭＣＰＵ６は、音声データ切替部２５から出力された音声デジタルデータを音声データＤＡ変換部１６によりアナロデータに変換し、スピーカ１８からＴＶ音声を出力する（ステップ８０６）。また、ＴＶチューナ部７内部のデコーダ部９から出力される映像デジタルデータを表示部２０に表示する。この時、音声データ切替部２５のパスルートが変更されている為、ＴＶ音声文字表示は行われない。
【００４６】
ユーザによるキー操作部２３からのＴＶ終了操作があった場合には、ＭＣＰＵ６はＴＶ動作を終了させ（ステップ８０７）、ステップ８０１の待ち受け状態に戻る。ステップ８０７において、ユーザによるＴＶ終了操作が無い場合には、ステップ８０６に戻る。
【００４７】
次に、図９のフローチャートを使用し、ＴＶ視聴時の音声出力切替動作を説明する。
開始（ステップ９００）から、ＴＶ視聴状態（ステップ９０１）に入る。ステップ９０１において、ユーザによりＴＶ音声出力切替部２６の操作があった場合（ステップ９０２）、ＩＦ部２７を介してＭＣＰＵ６内のＴＶ音声出力判定部２８に伝えられる。ＭＣＰＵ６は、ＴＶ音声出力判定部２８により、現在のＴＶ音声出力状態を確認する。ＴＶマナーモード非選択状態でＴＶ音声出力有（ＴＶ文字表示無）であった場合（ステップ９０３／ＹＥＳ）に、ＭＣＰＵ６は、ＴＶ音声出力判定部２８により音声データ切替部２５のパスルートＳＷ１のパスを端子Ａ−Ｂ間から端子Ａ−Ｃ間に変更する。
【００４８】
次に、音声認識部１９を動作させ、音声デジタルデータを文字データに変換させ、ＭＣＰＵ６に出力させる。ＭＣＰＵ６は、文字データを映像データと伴に表示部２０に表示し（ステップ９０４）、ＴＶ視聴状態に戻る（ステップ９０１）。この時、音声データ切替部２５のパスルートが変更されている為、ＴＶ音声は出力されない。
ステップ９０３において、ＴＶマナーモード選択、ＴＶ音声文字表示有（ＴＶ音声出力無）であった場合（ステップ９０３／ＮＯ）、ＭＣＰＵ６は、ＴＶ音声出力判定部２８により、音声データ切替部２５のパスルートＳＷ１のパスを端子Ａ−Ｃ間から端子Ａ−Ｂ間に変更し、音声認識部１９の動作を停止する。ＭＣＰＵ６は、音声データＤＡ変換部１６によりデジタル音声データをアナログデータに変換し、スピーカ１８からＴＶ音声を出力し、ＴＶ音声文字表示を停止する（ステップ９０５）。また、映像データを表示部２０に表示し、ＴＶ視聴状態に戻る（ステップ９０１）。
【００４９】
上記の実施例によれば、ＴＶ動作時、ＭＣＰＵ６内のマナーモード判定部１２、及びＴＶ音声判定部１３により、音声データ切替部１４と音声認識部１９を使用し、メモリ部１５に記憶された上記いずれかの状態にＴＶ音声出力を動作させる。このことにより、以下の効果が得られる。
１）ＴＶマナーモード選択時には、ＴＶ音声を文字として表示部に表示可能となり、マナーモードを必要とする場所でも、文字によりＴＶ音声情報を得ることが可能となる。
２）ＴＶ音声を文字として表示部に表示可能となり、難聴者もＴＶ音声情報を得ることが可能となる。
３）イヤホンを使用しなくても良い為、携帯電話機でのＴＶ視聴が面倒で無くなる。
【図面の簡単な説明】
【００５０】
【図１】第１の実施例の、地上波デジタル放送受信用ＴＶチューナを搭載した、ＴＶ機能を有する携帯電話機のブロック構成例を示している。
【図２】ＴＶマナーモード設定入力時の、動作例を表すフローチャートである。
【図３】ＴＶ視聴時に音声出力方法を決定する、動作例を表すフローチャートである。
【図４】ＴＶ起動時の動作例を表す、フローチャートである。
【図５】第２の実施例の、地上波デジタル放送受信用ＴＶチューナを搭載したＴＶ機能を有する、携帯電話機のブロック構成例を示している。
【図６】第３の実施例の、地上波デジタル放送受信用ＴＶチューナを搭載したＴＶ機能を有する、携帯電話機のブロック構成例を示している。
【図７】第３の実施例の、ＴＶマナーモード設定入力時の動作例を表すフローチャートである。
【図８】第３の実施例の、ＴＶ起動時の動作例を表すフローチャートである。
【図９】第３の実施例の、ＴＶ視聴時・音声出力変更時の動作例を表すフローチャートである。
【符号の説明】
【００５１】
１    ＡＮＴ（アンテナ）
２    ＴＶＡＮＴ（ＴＶアンテナ）
３    携帯電話送受信ブロック
４    無線部
５    ベースバンド部
６    ＭＣＰＵ
７    ＴＶチューナ部
１０    データ解凍部
１４    音声データ切替部
１５    メモリ部
１７    ドライバ部
１８    スピーカ
１９    音声認識部
２０    表示部
２１    電源
２２    ユーザＩＦ部
２３    キー操作部
【図１】
2006054613.tif 000003
【図２】
2006054613.tif 000004
【図３】
2006054613.tif 000005
【図４】
2006054613.tif 000006
【図５】
2006054613.tif 000007
【図６】
2006054613.tif 000008
【図７】
2006054613.tif 000009
【図８】
2006054613.tif 000010
【図９】
2006054613.tif 000011